(57)【特許請求の範囲】
【請求項１】
回転可能に設けられかつ静電潜像が形成される感光体と、この感光体に接触して回転しながら感光体を帯電する帯電部材と、前記帯電部材を回転させる帯電部材のモータと、この帯電部材に対して離接可能に設けられて前記帯電部材を清掃する清掃部材と、前記清掃部材を前記帯電部材に対して離接させるべく移動させる駆動手段とを少なくとも備えている画像形成装置において、
前記帯電部材のモータおよび前記清掃部材の駆動手段を制御する制御手段を備え、
前記制御手段は、前記帯電部材の清掃動作中は前記帯電部材を回転させるとともに、前記清掃部材が前記帯電部材に当接する当接時点を含む当接直前から当接直後の間および／または前記清掃部材が前記帯電部材から離間する離間時点を含む離間直前から離間直後の間のみは、前記帯電部材を前記画像形成装置の画像形成動作時での前記帯電部材の回転速度より低速で回転させ、かつそれ以外の清掃動作中では前記帯電部材をこの低速の速度よりも高い速度で回転させるように、前記帯電部材のモータの回転を制御する制御手段であることを特徴とする画像形成装置。
【請求項２】
前記制御手段は、清掃開始の前記清掃部材の駆動手段を駆動開始するときに、前記帯電部材のモータも駆動する制御手段であることを特徴とする請求項１記載の画像形成装置。
【発明の詳細な説明】
【０００１】
【発明の属する技術分野】
本発明は、帯電ローラ等の回転可能な帯電部材を回転可能な感光体に接触させてこの感光体を回転しながら帯電し、帯電した感光体上に静電潜像を形成することで画像を形成する画像形成装置の技術分野に属し、特に、帯電部材に対して離接可能に設けられた清掃部材を、この帯電部材に当接させることで帯電部材に付着したトナー等の異物を除去するようになっている画像形成装置の技術分野に属する。
【０００２】
【従来の技術】
静電複写機やプリンタ等の画像形成装置は感光体を帯電する帯電装置を備えており、この帯電装置として、従来、コロナ帯電が広く利用されている。しかし、このコロナ帯電はオゾンや窒素酸化物が発生して感光体などの表面に付着するので、画像欠陥を起こすという問題がある。
【０００３】
そこで、帯電装置として、電圧を印加した例えばウレタンゴム等からなる帯電部材を感光体に接触させて感光体を帯電させるという接触帯電方式が、例えば特開昭６３−１４９６６８号公報において提案されている。このような接触帯電方式の帯電によれば、前述のコロナ帯電で発生する問題が解消される。
【０００４】
しかしながら、接触帯電方式は帯電部材が感光体に接触していることから、クリーニング装置からすり抜けた感光体上のトナーや現像器から飛散したトナー等の異物が帯電部材の表面に付着してしまう。このため、感光体の帯電不良が引き起こされ、画像劣化が発生してしまう。
【０００５】
このようなことから、帯電部材の表面に付着したトナー等の異物を取り除くための清掃部材を備えた画像形成装置が、例えば特許第２８５３２０８号公報や特開平０７−１２８９５４号公報等において提案されている。これらの画像形成装置の清掃部材は常時帯電部材に接触していると、帯電部材の表面が傷ついて帯電不良を起こしてしまうので帯電部材に対して離接可能に設けられている。そして、この清掃部材は帯電部材を清掃するときのみこの帯電部材に接触して帯電部材を回転することで清掃を行い、帯電部材を清掃しないときには帯電部材から離間された状態に設定されるようになっている。その場合、帯電部材の清掃は一般的に定期的に行われるようになっており、したがって清掃部材の離接動作も定期的に行われている。この清掃部材を備えた画像形成装置によれば、帯電部材の表面が清掃され、感光体の帯電が良好になる。
【０００６】
【発明が解決しようとする課題】
ところで、清掃部材による帯電部材の清掃が繰り返されることにより、清掃部材に、帯電部材から除去されたトナー等の異物が付着蓄積されるようになる。
【０００７】
一方、近年画像形成装置の高速化がますます求められており、前述のような清掃部材が帯電部材に離接可能に設けられた画像形成装置においてもこの高速化が求められている。この高速化に対応するために、清掃動作中は帯電部材を回転させて清掃動作を迅速に行うことが考えられる。従来、この帯電部材の回転は、画像形成動作時に感光体を帯電することから、この感光体の回転に関係して設定されているが、画像形成装置の高速化にともなって、感光体および帯電部材の回転速度がともに増加している。
【０００８】
しかしながら、このように増加した回転速度で回転する帯電部材に対して、清掃部材を当接あるいは離間させた場合、その当接の瞬間あるいは離間の瞬間に、清掃部材が帯電部材の回転で比較的強い力で叩かれるようになる。このため、清掃部材に付着蓄積した異物が飛散し、飛散した異物により、プロセスカートリッジあるいは画像形成装置本体内が汚染されてしまい、その結果画質の劣化を招いてしまうという問題がある。
【０００９】
本発明は、このような事情に鑑みてなされたものであって、その目的は、帯電部材の清掃動作を迅速に行うようにしながら、しかも、帯電部材に対する清掃部材の当接時および離間時に、清掃部材に付着蓄積した異物の飛散を少なくすることのできる画像形成装置を提供することである。
【００１０】
【課題を解決するための手段】
この課題を解決するために、請求項１の発明は、回転可能に設けられかつ静電潜像が形成される感光体と、この感光体に接触して回転しながら感光体を帯電する帯電部材と、前記帯電部材を回転させる帯電部材のモータと、この帯電部材に対して離接可能に設けられて前記帯電部材を清掃する清掃部材と、前記清掃部材を前記帯電部材に対して離接させるべく移動させる駆動手段とを少なくとも備えている画像形成装置において、前記帯電部材のモータおよび前記清掃部材の駆動手段を制御する制御手段を備え、前記制御手段が、前記帯電部材の清掃動作中は前記帯電部材を回転させるとともに、前記清掃部材が前記帯電部材に当接する当接時点を含む当接直前から当接直後の間および／または前記清掃部材が前記帯電部材から離間する離間時点を含む離間直前から離間直後の間のみは、前記帯電部材を前記画像形成装置の画像形成動作時での前記帯電部材の回転速度より低速で回転させ、かつそれ以外の清掃動作中では前記帯電部材をこの低速の速度よりも高い速度で回転させるように、前記帯電部材のモータの回転を制御する制御手段であることを特徴としている。
また、請求項２の発明は、前記制御手段が、清掃開始の前記清掃部材の駆動手段を駆動開始するときに、前記帯電部材のモータも駆動する制御手段であることを特徴としている。
【００１１】
【作用】
このように構成された本発明の画像形成装置においては、制御手段により、清掃動作中は帯電部材が回転され、その場合、清掃部材が帯電部材に当接する当接時点を含む当接直前から当接直後の間および／または清掃部材が帯電部材から離間する離間時点を含む離間直前から離間直後の間のみでは、帯電部材が画像形成装置の画像形成動作時での帯電部材の回転速度より低速で回転され、かつそれ以外の清掃動作中では帯電部材がこの低速の速度よりも高い速度で回転されるように、清掃動作での帯電部材の回転が制御される。
【００１２】
したがって、清掃動作中は帯電部材が回転されるので、帯電部材の清掃動作が迅速に行われるようになる。また、このように清掃動作中に帯電部材が回転されても、清掃部材が帯電部材に当接する当接時点を含む当接直前から当接直後の間および／または清掃部材が帯電部材から離間する離間時点を含む離間直前から離間直後の間のみでは、帯電部材が画像形成装置の画像形成動作時での帯電部材の回転速度より低速で回転するので、帯電部材に対する清掃部材の当接時点や離間時点に、清掃部材は帯電部材から強く叩かれることがなくなる。これにより、清掃部材の当接時点や離間時点に、清掃部材に付着蓄積した異物の飛散が少なくなり、プロセスカ−トリッジあるいは画像形成装置内の汚染が抑制されるようになる。一方、清掃部材が帯電部材に当接する当接時点を含む当接直前から当接直後の間および／または清掃部材が帯電部材から離間する離間時点を含む離間直前から離間直後の間以外の清掃動作中では、帯電部材が前述の低速より高い速度で回転するので、清掃動作が更に一層迅速化される。こうして、本発明の画像形成装置においては、清掃部材の当接時点や離間時点における清掃部材の異物の飛散が少なくされてプロセスカ−トリッジあるいは画像形成装置内の汚染が抑制されながら、今後ますます求められる画像形成装置の高速化に確実にかつ柔軟に対応することが可能となる。
【００１３】
【発明の実施の形態】
以下、図面を用いて、本発明の実施の形態について説明する。
図１は、本発明の画像形成装置の実施の形態の一例が適用されたフルカラ−の中間転写型の画像形成装置を模式的に示す図である。
【００１４】
図１に示すように、この例の画像形成装置１は、感光体（以下、ＯＰＣともいう）２、帯電装置３、露光装置４、現像装置５、中間転写装置６、およびクリーニング装置７を備えているとともに、図示しないが中間転写装置６の転写ベルト６ａに転写された中間転写画像を転写紙等の転写材に転写する転写装置および転写材に転写された転写画像を定着する定着装置を備えている。
帯電装置３、露光装置４、現像装置５、中間転写装置６、およびクリーニング装置７は、従来の画像形成装置と同様にＯＰＣ２の周囲にこれらの順に図において時計回りに配設されている。
【００１５】
図１および図２（ａ）,（ｂ）に示すように、帯電装置３は、ＯＰＣ２に接触してこのＯＰＣ２を帯電するためにハウジング８に回転可能に支持された帯電ローラ等の帯電部材９、帯電部材９に対して離接可能に設けられ、この帯電部材９の表面を清掃するための清掃部材１０、清掃部材１０を保持し、この清掃部材１０を帯電部材３に対して離接させるように作動する保持部材１１、保持部材１１の、清掃部材１０を保持する側と反対側の面に設けられたＶ字状ばねからなる弾性部材１２を備えている。この弾性部材１２は、そのＶ字状ばねの１辺が保持部材１１に固定されているとともに、Ｖ字状ばねの他の１辺が自由状態にされている。
【００１６】
なお、図１には清掃部材１０を帯電部材へ押圧する弾性部材１２をコイルばねのように記載されているが、これは単に模式的に記載するために図１にはこのように記載しただけであり、この例の画像形成装置１では、図２（ａ）,（ｂ）に示すように弾性部材１２はＶ字状ばねが用いられている。もちろん、本発明では、弾性部材１２にコイルばねを用いることができることは言うまでもない。
【００１７】
ハウジング８には、清掃部材１０が帯電部材９から離間した状態において、Ｖ字状ばねの弾性部材１２を自由状態つまり無負荷状態にするための凹部からなる無負荷状態設定手段１３が設けられている。この無負荷状態設定手段１３の凹部の右側面１３ａは右下がりの傾斜面となっており、この傾斜面の傾斜角は、自由状態のＶ字状ばねの他の１辺の傾斜角とほぼ同じに設定されている。
【００１８】
また、ハウジング８には、無負荷状態設定手段１３の凹部に隣接して大きな凹部１４が形成されているとともに、この凹部１４の左側壁１４ａを形成するハウジング８の部分の下端には、長手方向に突出する突出部８ａが形成されている。一方、保持部材１１にはハウジング８の凹部１４内に突出する突出部１１ａが突設されている。ハウジング８の突出部８ａに対向するこの突出部１１ａの左側面１１ｂは右下がりの傾斜面とされており、この傾斜面の傾斜角は無負荷状態設定手段１３の凹部の右側面１３ａの傾斜角とほぼ同じに設定されている。更に、保持部材１１の図２（ａ）,（ｂ）において左端側には、連結用突出ピン１１ｃが突設されている。この連結用突出ピン１１ｃには、後述するように駆動手段１５の移動部材２１が連結されるようになっている。
【００１９】
そして、保持部材１１は図２（ａ）に示すように清掃部材１０を帯電部材９から離間させた離間位置と図２（ｂ）に示すように清掃部材１０を帯電部材９に所定の押圧力で当接させた当接位置との間で移動可能となっている。
更に図３に示すように、帯電装置３は、清掃部材１０を帯電部材９に対して当接または離間するために、保持部材１１を図２（ａ）,（ｂ）において左右方向に移動させる駆動手段１５を備えている。
【００２０】
この駆動手段１５は、ハウジング１６内に収容されたモータ１７と、このモータ１７の回転軸１７ａに取り付けられた第１ギア１８と、ハウジング１６内に回転可能に設けられた駆動力伝達軸１９と、この駆動力伝達軸１９の図において左端に第１ギア１８と噛合するように取り付けられ、第１ギア１８より大径の第２ギア２０と、駆動力伝達軸１９の第２ギア２０と反対側に設けられた雄ねじ部２１と、およびハウジング１６に回転不能にかつ軸方向に移動可能に、このハウジング１６を貫通して設けられ、雄ねじ部２１に螺合された雌ねじ部２２ａを有するとともに保持部材１１の連結用突出ピン１１ｃが連結される連結部２２ｂを有し、更に軸方向にばね力を受けるばね力受け部２２ｃとを有する移動部材２２と、ハウジング１６に固定され、移動部材２２のばね力受け部２２ｃにばね力を軸方向に作用させる、一対のばね力作用部２３ａ,２３ｂを有するほぼＵ字形状の板ばね２３とを備えている。
【００２１】
移動部材２２の連結部２２ｂは二股状に形成されており、この二股の間に保持部材１１の連結用突出ピン１１ｃが上下方向に相対移動可能に挿入され、これにより、連結部２２ｂと連結用突出ピン１１ｃとが軸方向には一体的に移動可能にかつ上下方向に相対移動可能に連結されている。
【００２２】
また、移動部材２２は、図３に点線で示すようにその左動により雄ねじ部２１と雌ねじ部２２ａとの螺合が解除されてそれ以上左動しない左限位置と、同じく図３に点線で示すようにその右動により雄ねじ部２１と雌ねじ部２２ａとの螺合が解除されてそれ以上右動しない右限位置とが設定されていて、これらの左右限位置の間で移動するようにされている。そして、移動部材２１が左限位置にあるときは、清掃部材１０は図２（ａ）に示す帯電部材９から離間した離間位置となり、また、移動部材２１が右限位置にあるときは、清掃部材１０は図２（ｂ）に示す帯電部材９から当接した当接位置となるように設定されている。
【００２３】
更に、移動部材２２の左限位置のときのばね力受け部２２ｃの左端２２ｃ1と、移動部材２２の右限位置のときのばね力受け部２２ｃの右端２２ｃ2との間の距離をＸとすると、板ばね２３の自由状態における一対のばね力作用部２３ａ,２３ｂ間の間隙Ｙは、この距離Ｘより小さく設定されている（Ｘ＞Ｙ）。移動部材２２が左動していくと、ばね力受け部２２ｃの左端２２ｃ1が板ばね２３の一方のばね力作用部２３ａに当接してこのばね力作用部２３ａを弾性的に撓ませるようになっている。また、同様に移動部材２２が右動していくと、ばね力受け部２２ｃの右端２２ｃ2が板ばね２３の他方のばね力作用部２３ｂに当接してこのばね力作用部２３ｂを弾性的に撓ませるようになっている。
【００２４】
そして、移動部材２２の左限位置では、板ばね２３の一方のばね力作用部２３ａが弾性的に最大に撓み、移動部材２２がばね力作用部２３ａのばね力によって矢印で示すように軸方向に右向きに最大に付勢されるようになっている。また、移動部材２２の右限位置では、板ばね２３の他方のばね力作用部２３ｂが弾性的に最大に撓み、移動部材２２がばね力作用部２３ｂのばね力によって矢印で示すように軸方向に左向きに最大に付勢されるようになっている。
【００２５】
更に、この例の画像形成装置１においては、清掃動作時での帯電部材９の回転の周速度が、画像形成動作時での帯電部材９の回転の周速度より小さく設定されている。例えば、画像形成動作時での帯電部材９の周速度が１８０mm／secに設定されているとき、清掃動作時での帯電部材９の周速度は４５mm／secに設定される。なお、本発明は、帯電部材９のこれらの周速度値に限定されるものでないことは言うまでもない。
【００２６】
この帯電部材９の周速度制御のために、図４に示すように、清掃部材１０のモータ１７および帯電部材９のモータ２４が、ともに画像形成装置１の中央処理装置（ＣＰＵ）２５に接続されている。そして、ＣＰＵ２５は、帯電部材９の清掃動作のためのシーケンス制御を開始する際、つまり、清掃部材１０を離間位置から当接位置に移動するためにモータ１７を駆動開始するときに、同時に帯電部材９のモータ２４も駆動するようになっている。その場合、ＣＰＵ２５は、この帯電部材９の清掃動作時での帯電部材９の回転の周速度が、画像形成動作時での帯電部材９の回転の周速度より小さくなるようにモータ２４の回転速度を制御するようになっている。
【００２７】
なお、雄ねじ部２０を移動部材２１側に設け、雌ねじ部２１ａを駆動力伝達軸１８側に設けることもできる。
【００２８】
また、この帯電装置３は、前述の特許第２８５３２０８号公報に開示されているような、感光体２が収容された１つのプロセスカートリッジを用いた画像形成装置１においてはこのプロセスカートリッジに設け、また、特開平０７−１２８９５４号公報に開示されているような、清掃部材１０が画像形成装置本体に設けられている画像形成装置１においてはこの画像形成装置本体に一緒に設けるようにする。
更に、駆動手段１５のハウジング１６は、帯電装置３のハウジング８を兼用することもできる。
【００２９】
現像装置５は、従来のフルカラーの画像形成装置の現像器と同様に、イエロー、マゼンタ、シアン、および黒の各現像器２６,２７,２８,２９を備えており、これらの各現像器２６,２７,２８,２９はＯＰＣ２の外周に沿って配設されている。その場合、各色の現像器２６,２７,２８,２９の配設順序は、前述の順序に限定されることなく任意に設定される。なお、以下の説明では、説明の便宜上、前述の色の順序、つまり、イエロー、マゼンタ、シアン、および黒の順で各現像器２６,２７,２８,２９が配設されているものとする。
【００３０】
クリーニング装置７も、従来のフルカラーの画像形成装置と同様にクリーナハウジング３０およびクリーニングブレード３１を備えている。その場合、クリーナハウジング３０は、図示のように帯電装置３のハウジング８と一体に形成されている。なお、クリーナハウジング３０はハウジング８と別体に形成することもできる。
【００３１】
このように構成された例の画像形成装置１の作動について説明する。
まず、通常時は移動部材２２が左限位置に設定され、図２（ａ）に示すように保持部材１１の上面１１ｄがハウジング８の下面８ｂに当接されており、清掃部材１０は離間位置に設定されて帯電部材９から離間している。このとき、ばね力作用部２３ａが撓んでいて、そのばね力により移動部材２２は軸方向右向きに付勢されている。
【００３２】
この状態で画像形成にあたり画像形成装置１を作動させると、従来の一般的な画像形成装置と同様にＣＰＵ２５によって帯電部材９およびＯＰＣ２が回転され、帯電部材９でＯＰＣ２の表面が帯電された後、露光装置４で画像がＯＰＣ２上の帯電された部分に静電潜像として露光される。そして、このＯＰＣ２上の静電潜像がイエロー、マゼンタ、シアン、および黒の各現像器２６,２７,２８,２９で順に現像されて可視像化され、更に、ＯＰＣ２上の現像画像が中間転写装置６を介して転写装置に送られ、この転写装置で色合わせを行い転写材に転写された後、定着装置で定着することにより、転写材上に所望の画像が得られるようになる。
【００３３】
そして、現像画像が転写材に転写された後、ＯＰＣ２上に残留する残余トナーはクリーニング装置７のクリーニングブレード３１によって除去され、クリーナハウジング３０に収容される。こうして、画像形成装置１により、画像形成が終了し、ＯＰＣ２が除電された後、次の画像形成のため、ＯＰＣ２が帯電部材９によって再び帯電され、以下同様の画像形成動作が行われる。
【００３４】
ところで、転写後、ＯＰＣ２上に残留する残余トナーはクリーニングブレード３１によってＯＰＣ２から除去されてクリーナハウジング３０に収容されるようになっているが、その一部は除去されずに、クリーニングブレード３１をすり抜けて帯電部材９の方へ移動し、この帯電部材９に付着するようになる。また、所定期間画像形成が行われている間に現像器から飛散したトナーも帯電部材９に付着する場合や、感光体２周辺の飛び散っているちりやほこりが帯電部材９に付着する場合がある。このため、この例の画像形成装置１では、帯電部材９に付着した異物を清掃部材１０で定期的に除去するようにしている。
【００３５】
この清掃動作はシーケンス制御で行われるが、ＣＰＵ２５は、まず、移動部材２２が左限位置から右限位置の方へ移動するように駆動手段１５のモータ１７を駆動すると同時に、帯電部材９のモータ２４を駆動する。このときの帯電部材９の周速度は、前述の画像形成動作時での帯電部材９の周速度より小さく設定されるので、帯電部材９は画像形成時に比べてゆっくりと回転する。
【００３６】
モータ１７の駆動により、第１および第２ギア１８,２０を介して駆動力伝達軸１９および雄ねじ部２１がともに回転する。雄ねじ部２１が回転すると、移動部材２２が板ばね２３のばね力作用部２３ａのばね力により軸方向右向きに付勢されているので、移動部材２２の雌ねじ部２２ａが雄ねじ部２１に螺合開始する。雌ねじ部２２ａと雄ねじ部２１との螺合により、雌ねじ部２２ａが雄ねじ部２１に対して相対的に右動するので、移動部材２２は右限位置に向けて軸方向に右動し、移動部材２２に連結されている保持部材１１も軸方向に右動するようになる。この保持部材１１の右動により、図２（ａ）において、すぐに弾性部材１２のＶ字状ばねの他の１辺が無負荷状態設定手段１３の凹部の右側面１３ａに当接する。更に、保持部材１１が右動すると、弾性部材１２のＶ字状ばねの他の１辺が右側面１３ａに沿って下動するので、保持部材１１および清掃部材１０が下動し、清掃部材１０は帯電部材９に斜め方向から接近するようになる。
【００３７】
移動部材２２の右動により、ばね力受け部２２ｃの左端２２ｃ1が一方のばね力作用部２３ａから離れ、その後、ばね力受け部２２ｃの右端２２ｃ2が他方のばね力作用部２３ｂに当接する。これにより、一方のばね力作用部２３ａが自由状態に復帰するとともに、他方のばね力作用部２３ｂが弾性的に撓み、移動部材２２がばね力作用部２３ｂのばね力により軸方向左向きに付勢されようになる。
【００３８】
ばね力受け部２２ｃの右端２２ｃ2のばね力作用部２３ｂへの当接に相前後して、清掃部材１０が帯電部材９に当接する。このとき、帯電部材９が周速度が比較的小さくゆっくり低速回転しているので、帯電部材９が清掃部材１０を叩く力が小さく、清掃部材１０に付着蓄積したトナー等の異物の飛散は少ない。
【００３９】
清掃部材１０が帯電部材９の当接した直後の状態では、弾性部材１２がまだ無負荷状態となっているので、清掃部材１０の帯電部材９への押圧力は生じていない。また、図２（ａ）に示す離間位置からの保持部材１１の移動時は、保持部材１１の突出部１１ａの左側面１１ｂがハウジング８の突出部８ａの先端に常時当接した状態で保持部材１１が移動するようになる。
【００４０】
保持部材１１が更に右動すると、突出部１１ａの左側面１１ｂが突出部８ａの先端から離間するとともに、弾性部材１２のＶ字状ばねが次第にハウジング８の下面８ｂに位置するようになる。すると、Ｖ字状ばねがハウジング８から負荷を加えられて圧縮されるので、Ｖ字状ばねはばね力を発生する。このＶ字状ばねのばね力つまり弾性部材１２の弾性力により、清掃部材１０は帯電部材９に押圧される。そして、保持部材１１が右動するにつれて、弾性部材１２の負荷が大きくなるので弾性部材１２の発生する弾性力も大きくなり、清掃部材１０の帯電部材９への押圧力も大きくなる。
【００４１】
清掃部材１０が帯電部材９に当接した後、移動部材２２が更に所定量右動すると、その雌ねじ部２２ａが雄ねじ部２１から外れ、移動部材２２は右限位置になる。移動部材２２の右限位置では、清掃部材１０は図２（ｂ）に示す当接位置に設定される。この状態では、清掃部材１０の帯電部材９への押圧力が最大となり、所定の清掃能力を得るために十分な押圧力となる。
【００４２】
このようにして、清掃部材１０が当接位置に設定されると、モータ１７の駆動が停止されるが、帯電部材９の回転により、前述のような、クリーニングブレード３１をすり抜けて帯電部材９に付着蓄積した異物、所定期間画像形成が行われている間に現像器から飛散して帯電部材９に付着蓄積した異物、および感光体２周辺に飛び散って帯電部材９に付着蓄積したちりやほこり等の異物は、清掃部材１０によって除去される。清掃部材１０によって除去された異物はクリーナハウジング３０内に収容されるか、クリーナハウジング３０とは別に収容部を設けた場合はその収容部に収容される。
【００４３】
そして、清掃部材１０が当接位置に所定時間設定されると、ＣＰＵ２５は、駆動手段１５のモータ１７を前述とは逆方向に駆動し、雄ねじ部２１が逆回転する。このとき、移動部材２２がばね力作用部２３ｂのばね力により軸方向左向きに付勢されているので、移動部材２２の雌ねじ部２２ａが雄ねじ部２１に螺合開始する。雌ねじ部２２ａと雄ねじ部２１との螺合により、雌ねじ部２２ａが雄ねじ部２１に対して相対的に左動するので、移動部材２２は左限位置に向けて軸方向に左動し、移動部材２２に連結されている保持部材１１も軸方向に左動するようになる。
【００４４】
すると、ハウジング８によって加えられた弾性部材１２の負荷が次第に小さくなり、弾性部材１２のほとんどが無負荷状態設定手段１３の凹部内に位置するようになると、弾性部材１２はハウジング８から負荷を加えられなくなり、無負荷状態となる。この状態では、清掃部材１０の帯電部材９への押圧力も消滅する。また、保持部材１１の突出部１１ａの左側面１１ｂがハウジング８の突出部８ａの先端に当接するようになる。保持部材１１が更に左方へ移動すると、突出部１１ａの左側面１１ｂが突出部８ａの先端に当接しているため、この左側面１１ｂの傾斜面に沿って保持部材１１が左斜め上方へ移動するようになる。このため、清掃部材１２は帯電部材９から離間する。このとき、帯電部材９が周速度が比較的小さくゆっくり低速回転しているので、当接時と同様に帯電部材９が清掃部材１０を叩く力が小さく、清掃部材１０に付着蓄積したトナー等の異物の飛散は少ない。また、この清掃部材１０の離間時には、帯電部材９が低速で回転していることにより、帯電部材９に離間筋がほとんど発生しない。
【００４５】
清掃部材１０の帯電部材９からの離間に相前後して、ばね力受け部２２ｃの右端２２ｃ2がばね力作用部２３ｂから離れ、その後、ばね力受け部２２ｃの左端２２ｃ1が一方のばね力作用部２３ａに当接する。これにより、他方のばね力作用部２３ｂが自由状態に復帰するとともに、一方のばね力作用部２３ａが弾性的に撓み、移動部材２２がばね力作用部２３ａのばね力により軸方向右向きに付勢されようになる。
【００４６】
そして、移動部材２２が更に左動すると、その雌ねじ部２２ａが雄ねじ部２１から外れ、移動部材２２は再び左限位置になり、モータ１７が停止する。移動部材２２の左限位置では、清掃部材１０は図２（ａ）に示す離間位置に設定される。こうして帯電部材９の清掃動作のための一連のシーケンス制御が実施されることにより清掃工程が終了する。
【００４７】
このように、この例の画像形成装置１によれば、帯電部材９をその清掃動作の開始時から回転させているので、迅速に清掃を行うことができるようになる。また、このように清掃動作中に帯電部材９を常時回転させても、帯電部材９は低速で回転しているので、帯電部材９に対する清掃部材１０の当接および離間時に、清掃部材１０に付着蓄積した異物の飛散を少なくすることができる。これにより、プロセスカ−トリッジあるいは画像形成装置内の汚染を抑制でき、画質の劣化を防止することができる。こうして、この例の画像形成装置１によれば、今後ますます求められる画像形成装置１の高速化に確実にかつ柔軟に対応することが可能となる。
【００４８】
なお、前述の例では、清掃動作中は、帯電部材９を常時低速で回転するようにしているが、本発明は、清掃部材１０が帯電部材９に当接する当接時点を含む当接直前から当接直後の間および／または清掃部材１０が帯電部材９から離間する離間時点を含む離間直前から離間直後の間のみは、帯電部材９を前述のように低速で回転させ、それ以外ではこのときの速度よりも高い速度で回転させるようにすることもできる。このようにすれば、清掃動作の更なる迅速化が可能となる。
【００４９】
なお、前述の例では、清掃部材１０を帯電部材９に対して軸方向と径方向との斜めに移動させて離設させているが、清掃部材１０を帯電部材９に対して単に径方向のみに移動させて離設させるようにすることもできる。また、清掃部材１０の離接動作を行う機構は図２に示す機構に限定されなく、清掃部材１０が帯電部材９に対して離接動作を行うものであればどのようなものでもよく、また、駆動手段１５も図３に示す手段に限定されなく、清掃部材１０を離間位置と当接位置との間で移動できるものであればどのようなものでもよい。
【００５０】
また、前述の例では、本発明をフルカラ−の中間転写型の画像形成装置に適用して説明しているが、本発明はこれに限定されるものではなく、感光体を帯電する帯電部材とこの帯電部材を清掃する清掃部材とを備える画像形成装置であれば、どのような画像形成装置にも適用することができる。
【００５１】
【発明の効果】
以上の説明から明らかなように、本発明の画像形成装置によれば、清掃動作中は帯電部材を回転するようにしているので、帯電部材の清掃動作を迅速に行うことができるようになる。
【００５２】
また、その場合清掃部材が帯電部材に当接する当接時点を含む当接直前から当接直後の間および／または清掃部材が帯電部材から離間する離間時点を含む離間直前から離間直後の間では、帯電部材を画像形成装置の画像形成動作時での帯電部材の回転速度より低速で回転させているので、帯電部材に対する清掃部材の当接時点や離間時点に、清掃部材は帯電部材から強く叩かれることがなくなる。したがって、清掃部材の当接時点や離間時点に、清掃部材に付着蓄積した異物の飛散を少なくでき、プロセスカ−トリッジあるいは画像形成装置内の汚染を抑制できる。これにより、画質の劣化が防止できる。しかも、これ以外の清掃動作中では、帯電部材を前述の低速より高い速度で回転させているので、清掃動作を更に一層迅速化することができる。こうして、本発明の画像形成装置によれば、清掃部材の当接時点や離間時点における清掃部材の異物の飛散を少なくしてプロセスカ−トリッジあるいは画像形成装置内の汚染を抑制しつつ、今後ますます求められる画像形成装置の高速化に確実にかつ柔軟に対応することが可能となる。
【図面の簡単な説明】
【図１】  本発明の画像形成装置の実施の形態の各例が適用されたフルカラ−の中間転写型の画像形成装置を模式的に示す図である。
【図２】  図１に示す画像形成装置に用いられている帯電部材の清掃部材を示すとともにその作動を説明し、（ａ）は清掃部材の帯電部材からの離間状態を模式的に示す図、（ｂ）は清掃部材が帯電部材に当接している当接状態を模式的に示す図である。
【図３】  図１に示す画像形成装置に用いられている清掃部材の駆動手段を模式的に示す図である。
【図４】  本発明の実施の形態の一例に用いられる、帯電部材の周速度制御のためのブロック図である。
【符号の説明】
１…画像形成装置、２…感光体（ＯＰＣ）、３…帯電装置、５…現像装置、７…クリーニング装置、８,１６…ハウジング、９…帯電部材、１０…清掃部材、１１…保持部材、１５…駆動手段、１７…駆動手段１５のモータ、１９…駆動力伝達軸、２１…雄ねじ、２２…移動部材、２２ａ…雌ねじ部、２４…帯電部材９のモータ、２５…中央処理装置（ＣＰＵ）
【図１】
0003722197.tif 000002
【図２】
0003722197.tif 000003
【図３】
0003722197.tif 000004
【図４】
0003722197.tif 000005